(57)【特許請求の範囲】
【請求項１】
左右に離間して位置する一対の支持体と、これら支持体間に配置される棚板と、棚板を支持すべく前記各支持体に設けられる棚受用ブラケットとを具備してなるものにおいて、
前記棚受用ブラケットは、支持体に取り付けられる本体部と、支持体の奥行寸法よりも小さい奥行幅の棚板を同奥行方向に位置決め状態で支持する棚支持部とを具備し、
棚支持部は、当該棚受用ブラケットを支持体に装着した状態で奥行方向両端部より立ち上がる位置決め用の起立片を具備し、この起立片によって棚板の奥行方向の位置決めを行うようにしていることを特徴とする棚。
【請求項２】
棚受用ブラケットの棚支持部は、支持体の奥行方向の一端側へ偏位した位置において棚板を支持するものであり、当該棚受用ブラケットに支持された棚板に隣接する奥行方向他端側の棚空間を開放し得るようにしている請求項１記載の棚。
【請求項３】
互いに鏡面対称の関係をなした２種類の前記棚受用ブラケットを有するものとし、
当該２種類の棚受用ブラケットを前記一対の支持体の両方にそれぞれ取り付け得るように構成している請求項１又は２記載の棚。
【請求項４】
前記棚板の奥行幅が、支持体の奥行寸法の半ピッチ相当に設定されている請求項１、２又は３記載の棚。
【請求項５】
前記棚板の奥行幅が、支持体の奥行寸法の１／３ピッチ相当に設定されている請求項１、２又は３記載の棚。
【請求項６】
前記各支持体は、奥行方向に隣接する一対の支柱を具備し、各々の支柱は、鉛直方向に沿って棚受用ブラケットを取り付けるための複数の係合孔を配列開口させたものである請求項１、２、３、４又は５記載の棚。
【請求項７】
前記支持体は、奥行方向に連続する板状のものであり、その奥行方向に離間した少なくとも２箇所に、鉛直方向に沿って複数の係合孔を配列開口させたものである請求項１、２、３、４又は５記載の棚。
【請求項８】
請求項１乃至７の何れかに記載の棚を構成するものであって、一対の支持体にそれぞれ装着され、支持体に取り付けられる本体部と、支持体の奥行寸法よりも小さい奥行幅の棚板を同奥行方向に位置決め状態で支持する棚支持部とを具備することを特徴とする棚受用ブラケット。
【発明の詳細な説明】
【０００１】
【発明の属する技術分野】
本発明は、ラックを始めとして棚構造を有する各種の什器として好適に利用可能な棚及びそのための棚受用ブラケットに関するものである。
【０００２】
【従来の技術】
棚の種別として、単式・複式がある。単式は、前後左右に計４本の支柱を備えた棚本体を具備し、この棚本体の前後支柱間にそれぞれ棚受用ブラケットを取り付けて、左右の棚受用ブラケット間に棚板を掛け渡すことにより利用に供するようにしたものである。これに対して、複式は、例えば奥行方向に３本以上の支柱を備え、これらの支柱の何れの支柱間に棚受用ブラケットを取り付けるかによって、奥行方向に棚本体の全巾のもののみならず１／２巾あるいは１／３巾の棚板を部分的に掛け渡すこともできるようにしている。棚受には、適宜の位置に切り起こし等により形成した起立片が設けてあり、棚板を所定位置に位置ずれしないように保持することができるようにしている。
【０００３】
単式の棚には構造簡素である利点があり、複式の棚には棚本体の平面積よりも小さい棚板を取り付けることで棚板の配置を必要部分のみに制限し、棚板の存在しない部分の開放された棚空間に背丈の大きい物品を配置するなど、デッドスペースを生じさせない棚空間の有効利用、種々のバリエーションに富んだ利用態様が可能になる利点がある。
【０００４】
【発明が解決しようとする課題】
ところで、単式の棚であっても、複式のように棚空間の有効利用、バリエーションに富んだ利用の態様が実現できれば便利である。
【０００５】
ところが、上記のように単式の棚は、棚受が前後左右に全巾の棚板を支持する棚受構造であるため、半幅の棚板を載せると、本来の支持領域の範囲で棚板の位置ずれが生じ、不安定な使用状態となることが避け難い。また、棚板を載せない部分において起立片が露出し、見栄えが損なわれるばかりか衣類等を引っ掻ける恐れもある。
【０００６】
本発明は、このような課題に着目してなされたものであって、単式であっても複式のような利用の態様を的確に実現できるようにした棚およびそのための棚受用ブラケットを提供することを目的としている。
【０００７】
【課題を解決するための手段】
本発明は、かかる目的を達成するために、左右に離間して位置する一対の支持体と、これら支持体間に配置される棚板と、棚板を支持すべく各支持体に設けられる棚受用ブラケットとから棚を構成するに際して、棚受用ブラケットを、支持体に取り付けられる本体部と、支持体の奥行寸法よりも小さい奥行幅の棚板を同奥行方向に位置決め状態で支持する棚支持部とから構成することを前提としたものである。本体部は、支持体の奥行寸法に略等しい奥行寸法とすることが的確な取り付け状態を得る上で望ましいが、支持体への取り付けが適切化できれば、支持体の奥行寸法よりも小さい奥行寸法のものとすることを妨げるものではない。
そして本発明は、棚支持部の位置決め機能を具現するための簡易な構成として、当該棚受用ブラケットを支持体に装着した状態で奥行方向両端部より立ち上がる位置決め用の起立片を具備し、この起立片によって棚板の奥行方向の位置決めを行うようにしていることを特徴としている。
【０００８】
このようにすれば、必要な部分のみに棚板を配し、棚板の不要な部分の棚空間を棚板に遮られることなく開放して、その部位に背丈の大きい物品を収納するなど、デッドスペースを生じさせないような棚空間の有効利用が可能になる。しかも、この棚受用ブラケットは、幅狭の棚板を奥行方向に位置決め支持する棚支持部を備えており、奥行方向に位置ずれが生じないため、バリエーションに富んだ棚板の架設状態をとっても、棚板が容易にずれたり外れたりする不都合を有効に回避することができる。また、奥行幅が支持体の奥行寸法にほぼ等しい全幅の棚板を取り付けるための棚受用ブラケットとの間で本体部の構造を共通化しておけば、支持体への取付構造を一本化でき、利用形態のバリエーションもより豊富なものにすることができる。
【０００９】
棚空間を種々の態様で有効活用する機能を端的に実現するためには、棚受用ブラケットの棚支持部を、支持体の奥行方向の一端側へ偏位した位置において棚板を支持するものとし、当該棚受用ブラケットに支持された棚板に隣接する奥行方向他端側の棚空間を開放し得るようにしておくのがよい。
【００１０】
そして本発明の具体的な構成として、互いに鏡面対称の関係をなした２種類の前記棚受用ブラケットを有するものとし、当該２種類の棚受用ブラケットを前記一対の支持体の両方にそれぞれ取り付け得るように構成しているものが挙げられる。
【００１１】
以上に適用し得る棚板の奥行幅は、支持体の奥行寸法の半ピッチ相当であるもの、１／３ピッチ相当であるもの、或いは必要に応じてこれら以外のピッチ相当であるもの等が挙げられる。
【００１２】
具体的な形態としては、奥行方向に隣接する一対の支柱から支持体を構成し、各々の支柱に鉛直方向に沿って棚受用ブラケットを取り付けるための複数の係合孔を配列開口させたものや、支持体を奥行方向に連続する板状のものとし、その奥行方向の奥行方向に離間した少なくとも２箇所（好ましくは両端近傍）に鉛直方向に沿って棚受用ブラケットを取り付けるための複数の係合孔を配列開口させたものが挙げられる。
【００１３】
【発明の実施の形態】
以下、本発明の一実施形態を、図面を参照して説明する。
【００１４】
この実施形態の棚は、スチール製のもので、左右に離間して位置する一対の支持体１と、これら支持体１、１間に配置される棚板２と、棚板２を支持する棚受用ブラケット３ａ、３ｂとから構成される。
【００１５】
支持体１は、奥行方向に隣接する一対の支柱１１の上端部間及び下端部間を横架材１０（図３参照）を介して連結したものであり、各々の支柱１１は、少なくとも棚板２が配置される側の面１１ａに鉛直方向に沿って複数のスリット状の係合孔１１ｂを配列開口させている。左右に離間して対向する（すなわち棚板２の左右両端を支持する）支持体１、１間も、各々の支持体１を構成する支柱１１同士が上端部間及び下端部間を図示しない横架材によって連結されている。そして、全体として4本の支柱１１が相互に連結されていわゆる単式の棚本体を構成し、構造体としての自立性を呈している。
【００１６】
棚板２は、左右の支柱１１の内法寸法に略等しい左右幅Ｗと、支持体１の奥行寸法（つまり奥行方向に対をなす支柱１１間の外法寸法）Ｄ０のほぼ半幅、厳密には半幅よりも若干小さい奥行幅Ｄ１とを有するもので、板金素材を塑性変形加工することによって、前壁２ａ、後壁２ｂ、底壁２ｃ及び上壁２ｄを有したものとして構成されている。
【００１７】
棚受用ブラケット３ａ、３ｂは、前記一対の支持体１の棚支持側の面１１ａに装着されるもので、支持体１の奥行寸法Ｄ０とほぼ同寸、厳密には若干小さい奥行寸法Ｄ２の本体部３１と、前述した奥行幅Ｄ１の棚板２を同奥行方向に位置決め状態で支持する棚支持部３２とを具備している。本体部３１は、板金素材を塑性変形加工することによって構成されたもので、前記奥行寸法Ｄ２（これは前後の支柱１１の係合孔１１ｂ間のピッチに略等しい値）の鉛直壁３１ａと、この鉛直壁３１ａの奥行方向両端部において上縁から支柱１１側へ折り曲げて突出させた下向き鉤形をなす係合爪３１ｂと、これらの係合爪３１ｂの奥行方向中間部分において上縁から前後支柱間空間へアングル状に折り曲げた補強片３１ｃとからなっている。一方、棚支持部３２は、前記鉛直壁３１ａの奥行方向一端側へ偏位した半幅領域において下縁から棚板３側へ水平に延出させた棚受面３２ａと、この棚受面３２ａの奥行方向両端に起立状態で設けた起立片３２ｂ、３２ｃとを具備している。奥行方向ほぼ中央に位置する起立片３２ｂは棚受面３２ａの端部を上方に折り曲げたものであり、奥行方向端部側の起立片３２ｃは鉛直壁３１ａの端部を棚板３側に折り曲げたものであって、起立片３２ｂ、３２ｃ間の内法寸法Ｄ３は棚板３の奥行幅Ｄ１に略合致させてある。
【００１８】
そして、この棚受用ブラケット３の一対の係合爪３１ｂを各々対応する支柱１１の係合孔１１ｂに挿入し、その位置で落とし込むことによって、鉛直壁３１ａの背面を支柱１１の係合孔１１ｂが設けられた面１１ａに密着されて装着することができるようにしている。
【００１９】
なお、棚受用ブラケット３ａと棚受用ブラケット３ｂとは、棚支持部３２が設けられている奥行位置が対応しなければならないため、この実施形態では鏡面対称の関係にある２種類のブラケットとして用意されている。なお、左右の支持体１、１間において半幅の棚板３を奥行方向の奥側へ偏位させて取り付ける場合には、右側に棚受用ブラケット３ａを用い、左側に棚受用ブラケット３ｂを用いるが、奥行方向の手前側へ偏位させて取り付ける場合には、右側に棚受用ブラケット３ｂを用い、左側に棚受用ブラケット３ａを用いればよく、効率良い利用が可能である。
【００２０】
そして、これら左右の棚受用ブラケット３ａ、３ｂ間に、前述した棚板２を架け渡して取り付けるようにしている。棚板２は、前述したように棚受用ブラケット３ａ、３ｂの一対の起立片３２ｂ、３２ｃ間に前壁２ａ、後壁２ｂを密着させて嵌め込み、棚受面３２ａ上に底壁２ｃを載せ置いて取り付けられ、上壁２ｄを棚面とするものであり、その状態で起立片３２ｂ、３２ｃの先端は棚面２ｄよりも上方へ突出しない寸法関係に設定されている。勿論、一対の起立片３２ｂ、３２ｃを両側から抱くようにして外側に嵌め込む関係に設定することも可能である。
【００２１】
このようにすれば、必要な部分のみに棚板２を配し、棚板２の不要な部分の棚空間を棚板２に遮られることなく開放して、その部位に背丈の大きい物品Ｘを収納するなど、デッドスペースを生じさせないような棚空間の有効利用が可能になる。図３では、一定ピッチでブラケット３ａ、３ｂを交互に使用した結果、奥行方向の前方半幅、後方半幅に千鳥状に棚板２を配置して、棚の取付ピッチの実質的に2倍の背丈Ｈの物品Ｘを収納し得るようにしているものである。勿論、目的用途に応じ、どの高さ位置において前後何れの奥行位置に棚板を配置するかは自由であり、これ以外にも種々の態様で棚板２を取り付けることができる。しかも、この棚受用ブラケット３ａ、３ｂは、幅狭の棚板２を奥行方向に位置決め支持する棚支持部３２によって棚板２に奥行方向への位置ずれを生じさせないものであるため、バリエーションに富んだ棚板２の架設状態を採用しても、棚板２が容易にずれたり外れたりする不都合を有効に回避することができる。さらに、奥行幅Ｄ１が支持体１の奥行寸法Ｄ０にほぼ等しい全幅の棚板を取り付けるための図示しない棚受用ブラケットとの間で本体部３１の構造を共通化しておけば、支持体１への取付構造を一本化できる上に、何れの棚受用ブラケット（従って全巾、半巾何れの棚板）を使用するかも自由となり、利用形態のバリエーションもより豊富なものにすることができる。
【００２２】
とりわけ、この実施形態では、棚受用ブラケット３ａ、３ｂの棚支持部３２を、支持体１の奥行方向の一端側へ偏位した位置において棚板２を支持するものとし、当該棚受用ブラケット３ａ、３ｂに支持された棚板２に隣接する奥行方向他端側の棚空間を開放するようにしているため、棚空間の奥行方向手前又は奥方に開放空間を集中的に形成することができ、背丈の高い物品を収納するスペース等を有効に確保することができるほか、その様な物品の出し入れもし易いものになる。
【００２３】
また、本実施形態においては、棚受用ブラケット３を支持体１に装着した状態で奥行方向両端部より立ち上がる位置決め用の起立片３２ｂ、３２ｃを具備し、これらの起立片３２ｂ、３２ｃによって棚板２の奥行方向の位置決めを行うようにしているため、簡素な構造で棚板２の位置ずれを防止することができるほか、棚板２はこれらの起立片３２ｂ、３２ｃの間に密着して嵌め込まれ、その状態で起立片３２ｂ、３２ｃの先端は棚面２ｄよりも上方へ突出しないようにしてあるため、予め半幅の棚板の取り付けが予想される部位に起立片を常に突出させておくような手法を採用する場合に比べて、起立片３２ｂ、３２ｃに衣類等を引っ掛けることも有効に回避することができる。
【００２４】
さらに、本実施形態の棚板２は、奥行幅が支持体１の奥行寸法の半ピッチ相当であり、奥行方向の前方、後方いずれの側から使用するときにも同様の使い勝手となるため、居住空間の中央に配置して両側から使用するような態様、或いは、棚空間を二人で半分づつ使用するような利用態様に有効となる。勿論、１／３ピッチ相当であるものや、それ以外の比率によるものであっても、目的・用途に応じて本発明の機能を有効に発揮させることができる。
【００２５】
特に、本実施形態の具体的な形態として、奥行方向に隣接する一対の支柱によって支持体を構成し、各々の支柱に鉛直方向に沿って棚受用ブラケットを取り付けるための複数の係合孔を配列開口させているため、配置の自由度が大きく、本発明の効果を如何なく発揮させることができる。
【００２６】
なお、各部の具体的な構成は、上述した実施形態のみに限定されるものではなく、本発明の趣旨を逸脱しない範囲で種々変形が可能である。
【００２７】
例えば、上記実施形態の支持体は支柱タイプのもので構成されていたが、奥行方向に連続する側板タイプのもの、例えば書架等にも同様に適用することができる。
【００２８】
また、本明細書に言う「奥行方向」は説明の便宜上の方向であって、必ずしも図示例のように棚の短辺方向のみを指称するものではない。
【００２９】
さらに、棚受用ブラケットに予め予備の爪や棚支持部を設けたり、爪を逆に掛け止めることができるように構成して、棚支持部を上下反転させて左右で共用できるように構成する可能性も追求することができる。
【００３０】
また、奥行方向を１／３ピッチとするときは、奥行方向の両側へ偏位した位置、中央位置の３箇所に選択的に棚板を取り付けることができるようになる。
【００３１】
さらにまた、必要な強度が損なわなければ、棚受要ブラケットを、本体部と、この本体部の奥行方向複数箇所に設定した係合位置の中から一の係合位置を選択して着脱可能に取り付け可能な棚支持部とから構成して、棚受用ブラケットの共用化、これによる部品点数の削減を図ることもできる。
【００３２】
また、棚受用ブラケットには、支持体の奥行寸法よりも小さい奥行寸法のものを用いることもできる。この場合にも、棚支持部と棚板との係わり構造を工夫すれば、棚板を支持体の奥行方向の両端に偏位させて取り付けることは可能である。また、支持体の奥行寸法に対して略半巾の本体部、この本体部に対して更に半巾の棚板といった寸法関係で本発明を適用することも可能である。
【００３３】
【発明の効果】
本発明は、以上説明した構成により、単式であっても複式のような利用の態様を的確に実現できるようにした新規有用な棚およびそのための棚受用ブラケットを提供することが可能となる。
【図面の簡単な説明】
【図１】本発明の一実施形態を示す要部斜視図。
【図２】図1の分解斜視図。
【図３】同実施形態の取扱説明図。
【符号の説明】
１…支持体
２…棚板
３ａ、３ｂ…棚受用ブラケット
１１ｂ…係合孔
３１…本体部
３２…棚支持部
３２ｂ、３２ｃ…起立片
Ｄ１…奥行幅
【図１】
0004084590.tif 000002
【図２】
0004084590.tif 000003
【図３】
0004084590.tif 000004